(57)【要約】【課題】疎遠になっている通信相手との通信を効果的に促し、コミュニケーションの円滑化を図ることができる通信装置を提供する。【解決手段】電子メールアドレス及び通信履歴情報を対応付けて記憶する記憶手段と、電子メールを受信した場合、該電子メールの送信元を示す電子メールアドレスに対応付けられた通信履歴情報を特定する特定手段とを備える通信装置に、前記特定手段が特定した通信履歴情報に基づいて、電子メールの表示内容を変更する変更手段を備える。【選択図】図６
2010039855.tif 000002
【特許請求の範囲】
【請求項１】
電子メールアドレス及び通信履歴情報を対応付けて記憶する記憶手段と、電子メールを受信した場合、該電子メールの送信元を示す電子メールアドレスに対応付けられた通信履歴情報を特定する特定手段とを備える通信装置において、
前記特定手段が特定した通信履歴情報に基づいて、電子メールの表示内容を変更する変更手段を備える
ことを特徴とする通信装置。
【請求項２】
前記通信履歴情報は、
電子メールを送信した送信回数を含み、
前記変更手段は、
前記特定手段が特定した通信履歴情報に含まれる送信回数の多／少に応じて、電子メールの表示画面、電子メールに含まれる文字若しくは画像の色濃度の濃／淡、又は前記文字若しくは画像の表示／非表示を決定する手段を備える
ことを特徴とする請求項１に記載の通信装置。
【請求項３】
前記通信履歴情報は、
電子メールを受信した受信回数を含み、
前記変更手段は、
前記特定手段が特定した通信履歴情報に含まれる受信回数の多／少に応じて、電子メールの表示画面、電子メールに含まれる文字若しくは画像の色濃度の濃／淡、又は前記文字若しくは画像の表示／非表示を決定する手段を備える
ことを特徴とする請求項１又は請求項２に記載の通信装置。
【請求項４】
前記通信履歴情報は、
電子メールを送信した送信回数、及び電子メールを受信した受信回数を含み、
前記変更手段は、
前記特定手段が特定した通信履歴情報に含まれる送信回数の多／少に応じて、電子メールに含まれる文字若しくは画像の色濃度の濃／淡、又は前記文字若しくは画像の表示／非表示を決定する手段と、
前記特定手段が特定した通信履歴情報に含まれる受信回数の多／少に応じて、電子メールの表示画面の色濃度の濃／淡を決定する手段と
を備えることを特徴とする請求項１に記載の通信装置。
【請求項５】
前記記憶手段が記憶している複数の通信履歴情報夫々に含まれる送信回数の平均値を算出する手段を備え、
前記変更手段は、
前記特定手段が特定した通信履歴情報に含まれる送信回数及び前記平均値に基づいて、電子メールの表示画面、電子メールに含まれる文字若しくは画像の色濃度の濃／淡、又は前記文字若しくは画像の表示／非表示を決定するようにしてある
ことを特徴とする請求項２に記載の通信装置。
【請求項６】
前記記憶手段が記憶している複数の通信履歴情報夫々に含まれる受信回数の平均値を算出する手段を備え、
前記変更手段は、
前記特定手段が特定した通信履歴情報に含まれる受信回数及び前記平均値に基づいて、電子メールの表示画面、電子メールに含まれる文字若しくは画像の色濃度の濃／淡、又は前記文字若しくは画像の表示／非表示を決定するようにしてある
ことを特徴とする請求項３に記載の通信装置。
【請求項７】
前記通信履歴情報は、
受信したＨＴＭＬ形式の電子メールの数を含み、
前記変更手段は、
前記特定手段が特定した通信履歴情報に含まれる前記ＨＴＭＬ形式の電子メールの数の多／少に応じて、電子メールの表示画面、電子メールに含まれる文字若しくは画像の色濃度の濃／淡、又は前記文字若しくは画像の表示／非表示を決定する手段を備える
ことを特徴とする請求項１乃至請求項６のいずれか一つに記載の通信装置。
【請求項８】
通話に係る情報を送受信する通話手段を備え、
前記通信履歴情報は、
通話を行った通話回数を含み、
前記変更手段は、
前記特定手段が特定した通信履歴情報に含まれる通話回数の多／少に応じて、電子メールの表示画面、電子メールに含まれる文字若しくは画像の色濃度の濃／淡、又は前記文字若しくは画像の表示／非表示を決定する手段を備える
ことを特徴とする請求項１乃至請求項７のいずれか一つに記載の通信装置。
【請求項９】
電子メールを受信した場合、該電子メールに含まれる文字又は画像に基づいて、前記電子メールの特徴量を算出する特徴量算出手段と、
複数の電子メールを受信した場合、電子メールアドレス毎に電子メールの特徴量の平均値を算出する平均値算出手段と、
一の電子メールを受信し、前記特徴量算出手段が該電子メールの特徴量を算出した場合、該特徴量、及び前記平均値算出手段が算出した平均値を比較する比較手段と、
該比較手段の比較結果に応じて、異なる発光色、発光点滅周期、又は明度で発光する発光手段と
を備えることを特徴とする請求項１乃至請求項８のいずれか一つに記載の通信装置。
【請求項１０】
前記特徴量算出手段は、
電子メールに含まれる記号若しくは画像の数、又は文字の数に基づいて、特徴量を算出する手段を備える
ことを特徴とする請求項９に記載の通信装置。
【請求項１１】
所定文字と、数値とを対応付けたテーブルを備え、
前記特徴量算出手段は、
電子メールに含まれる所定文字を抽出する手段と、
抽出された所定文字及び前記テーブルに基づいて、特徴量を算出する手段と
を備えることを特徴とする請求項９又は請求項１０に記載の通信装置。
【請求項１２】
前記発光手段は、
電子メールに含まれる件名の有無に応じて、異なる発光色、明度、又は発光点滅周期にて、発光するようにしてある
ことを特徴とする請求項９乃至請求項１１のいずれか一つに記載の通信装置。
【請求項１３】
電子メールアドレス及び通信履歴情報を対応付けて記憶するステップと、電子メールを受信した場合、該電子メールの送信元を示す電子メールアドレスに対応付けられた通信履歴情報を特定するステップとを有する通信方法において、
特定された通信履歴情報に基づいて、電子メールの表示内容を変更するステップを有する
ことを特徴とする通信方法。
【請求項１４】
電子メールを受信するコンピュータに、電子メールアドレス及び通信履歴情報を対応付けるステップと、電子メールを受信した場合、該電子メールの送信元を示す電子メールアドレスに対応付けられた通信履歴情報を特定するステップとを実行させるコンピュータプログラムにおいて、
前記コンピュータに、特定された通信履歴情報に基づいて、電子メールの表示内容を変更するステップを実行させる
ことを特徴とするコンピュータプログラム。
【発明の詳細な説明】
【技術分野】
【０００１】
本発明は、疎遠になっている通信相手との通信を促し、コミュニケーションの円滑化を図ることができる通信装置、通信方法及びコンピュータを該通信装置として機能させるコンピュータプログラムに関する。
【背景技術】
【０００２】
電子メール通信機能を備えた携帯電話機が実用化されている。また、電子メールを用いたコミュニケーションの円滑化を図るべく、最新の通信日時を通信相手毎に記憶し、最新の通信日時から一定期間が経過した場合、当該通信相手と電子メールによる通信を行うべき旨を警告し、メーラを起動するように構成した携帯電話機が提案されている（例えば、特許文献１）。
特許文献１に係る携帯電話機によれば、警告又はメーラの起動によって、疎遠になっている通信相手との通信を促し、コミュニケーションの円滑化を図ることができる。
【特許文献１】特開２００７−５２４７５号公報
【発明の開示】
【発明が解決しようとする課題】
【０００３】
しかしながら、単なる警告及びメーラの起動では、携帯電話機の使用者は、警告又は起動したメーラを無視して連絡を取らない場合があり、十分にコミュニケーションの円滑化を図ることができないという問題があった。また、上述の問題は、電子メール通信機能を有する他の通信装置にも存在する。
【０００４】
本発明は斯かる事情に鑑みてなされたものであり、受信した電子メールを表示する際、該電子メールの送信元である通信相手との通信履歴に基づいて、電子メールの表示画面、又は電子メールとして表示されるべき文字若しくは画像自体を変更することにより、疎遠になっている通信相手との通信を効果的に促し、コミュニケーションの円滑化を図ることができる通信装置、通信方法及びコンピュータを該通信装置として機能させるコンピュータプログラムを提供することを目的とする。
【０００５】
本発明の他の目的は、送信回数の多／少に応じて、電子メールの表示画面、又は電子メールとして表示されるべき文字若しくは画像自体を変更することにより、電子メールの送信頻度を視覚乃至感覚的に通知することが可能になり、疎遠になっている通信相手との通信を効果的に促し、コミュニケーションの円滑化を図ることができる通信装置を提供することにある。
【０００６】
本発明の他の目的は、受信回数の多／少に応じて、電子メールの表示画面、又は電子メールとして表示されるべき文字若しくは画像自体を変更することにより、電子メールの受信頻度を視覚乃至感覚的に通知することが可能になり、疎遠になっている通信相手との通信を効果的に促し、コミュニケーションの円滑化を図ることができる通信装置を提供することにある。
【０００７】
本発明の他の目的は、送信回数の多／少に応じて、電子メールとして表示されるべき文字若しくは画像の色濃度の濃／淡、又は前記文字若しくは画像の表示／非表示を決定する手段と、受信回数の多／少に応じて、電子メールの表示画面の色濃度の濃／淡を決定する手段とを備えることにより、送信頻度及び受信頻度を視覚乃至感覚的に通知することが可能になり、疎遠になっている通信相手との通信を効果的に促し、コミュニケーションの円滑化を図ることができる通信装置を提供することにある。
【０００８】
本発明の他の目的は、一の通信相手との送信回数、及び複数の通信相手に係る送信回数の平均値に基づいて、電子メールの表示画面、又は電子メールとして表示されるべき文字若しくは画像自体を変更することにより、使用者による電子メールの平均的な送信頻度を考慮して、電子メールの表示画面、又は電子メールとして表示されるべき文字若しくは画像を変更することができる通信装置を提供することにある。
【０００９】
本発明の他の目的は、一の通信相手との受信回数、及び複数の通信相手に係る受信回数の平均値に基づいて、電子メールの表示画面、電子メールとして表示されるべき文字若しくは画像自体を変更することにより、使用者による電子メールの平均的な受信頻度を考慮して、電子メールの表示画面、又は電子メールとして表示されるべき文字若しくは画像を変更することができる通信装置を提供することにある。
【００１０】
本発明の他の目的は、ＨＴＭＬ形式の電子メールの多／少に応じて、電子メールの表示画面、電子メールとして表示されるべき文字若しくは画像自体を変更することにより、電子メールの内容によって、通信相手との親密度を評価し、疎遠になっている通信相手との通信及び通話を効果的に促し、コミュニケーションの円滑化を図ることができる通信装置を提供することにある。
【００１１】
本発明の他の目的は、通話回数の多／少に応じて、電子メールの表示画面、又は電子メールとして表示されるべき文字若しくは画像自体を変更することにより、通話回数によって、通信相手との親密度を評価し、疎遠になっている通信相手との通信及び通話を効果的に促し、コミュニケーションの円滑化を図ることができる通信装置を提供することにある。
【００１２】
本発明の他の目的は、電子メールの特徴量の変化に応じて、異なる発光色、発光点滅周期、又は明度で発光する発光手段を備えることにより、通信相手との親密度の変化を発光素子によって視覚乃至感覚的に通知し、コミュニケーションの円滑化を図ることができる通信装置を提供することにある。
【００１３】
本発明の他の目的は、電子メールに含まれる記号、若しくは画像の数、又は文字の数に基づいて電子メールの特徴量を算出するように構成することにより、電子メールに含まれる記号、画像、文字数に基づいて評価された親密度の変化を発光素子によって視覚乃至感覚的に通知し、コミュニケーションの円滑化を図ることができる通信装置を提供することにある。
【００１４】
本発明の他の目的は、電子メールに含まれる所定文字、例えば「〜です。」、「〜よね」、「〜（絵文字）」に基づいて電子メールの特徴量を算出するように構成することにより、電子メールに含まれる文字列に基づいて評価された親密度の変化を発光素子によって視覚乃至感覚的に通知することができ、コミュニケーションの円滑化を図ることができる通信装置を提供することにある。
【００１５】
本発明の他の目的は、電子メールに含まれる件名の有無に応じて、発光素子が異なる発光色、発光点滅周期、又は明度で発光するように構成することにより、件名の有無に基づいて評価された親密度の変化を発光素子によって視覚乃至感覚的に通知することができ、コミュニケーションの円滑化を図ることができる通信装置を提供することにある。
【課題を解決するための手段】
【００１６】
本発明に係る通信装置は、電子メールアドレス及び通信履歴情報を対応付けて記憶する記憶手段と、電子メールを受信した場合、該電子メールの送信元を示す電子メールアドレスに対応付けられた通信履歴情報を特定する特定手段とを備える通信装置において、前記特定手段が特定した通信履歴情報に基づいて、電子メールの表示内容を変更する変更手段を備えることを特徴とする通信装置。
【００１７】
本発明に係る通信装置は、前記通信履歴情報は、電子メールを送信した送信回数を含み、前記変更手段は、前記特定手段が特定した通信履歴情報に含まれる送信回数の多／少に応じて、電子メールの表示画面、電子メールに含まれる文字若しくは画像の色濃度の濃／淡、又は前記文字若しくは画像の表示／非表示を決定する手段を備えることを特徴とする。
【００１８】
本発明に係る通信装置は、前記通信履歴情報は、電子メールを受信した受信回数を含み、前記変更手段は、前記特定手段が特定した通信履歴情報に含まれる受信回数の多／少に応じて、電子メールの表示画面、電子メールに含まれる文字若しくは画像の色濃度の濃／淡、又は前記文字若しくは画像の表示／非表示を決定する手段を備えることを特徴とする。
【００１９】
本発明に係る通信装置は、前記通信履歴情報は、電子メールを送信した送信回数、及び電子メールを受信した受信回数を含み、前記変更手段は、前記特定手段が特定した通信履歴情報に含まれる送信回数の多／少に応じて、電子メールに含まれる文字若しくは画像の色濃度の濃／淡、又は前記文字若しくは画像の表示／非表示を決定する手段と、前記特定手段が特定した通信履歴情報に含まれる受信回数の多／少に応じて、電子メールの表示画面の色濃度の濃／淡を決定する手段とを備えることを特徴とする。
【００２０】
本発明に係る通信装置は、前記記憶手段が記憶している複数の通信履歴情報夫々に含まれる送信回数の平均値を算出する手段を備え、前記変更手段は、前記特定手段が特定した通信履歴情報に含まれる送信回数及び前記平均値に基づいて、電子メールの表示画面、電子メールに含まれる文字若しくは画像の色濃度の濃／淡、又は前記文字若しくは画像の表示／非表示を決定するようにしてあることを特徴とする。
【００２１】
本発明に係る通信装置は、前記記憶手段が記憶している複数の通信履歴情報夫々に含まれる受信回数の平均値を算出する手段を備え、前記変更手段は、前記特定手段が特定した通信履歴情報に含まれる受信回数及び前記平均値に基づいて、電子メールの表示画面、電子メールに含まれる文字若しくは画像の色濃度の濃／淡、又は前記文字若しくは画像の表示／非表示を決定するようにしてあることを特徴とする。
【００２２】
本発明に係る通信装置は、前記通信履歴情報は、受信したＨＴＭＬ形式の電子メールの数を含み、前記変更手段は、前記特定手段が特定した通信履歴情報に含まれる前記ＨＴＭＬ形式の電子メールの数の多／少に応じて、電子メールの表示画面、電子メールに含まれる文字若しくは画像の色濃度の濃／淡、又は前記文字若しくは画像の表示／非表示を決定する手段を備えることを特徴とする。
【００２３】
本発明に係る通信装置は、通話に係る情報を送受信する通話手段を備え、前記通信履歴情報は、通話を行った通話回数を含み、前記変更手段は、前記特定手段が特定した通信履歴情報に含まれる通話回数の多／少に応じて、電子メールの表示画面、電子メールに含まれる文字若しくは画像の色濃度の濃／淡、又は前記文字若しくは画像の表示／非表示を決定する手段を備えることを特徴とする。
【００２４】
本発明に係る通信装置は、電子メールを受信した場合、該電子メールに含まれる文字又は画像に基づいて、前記電子メールの特徴量を算出する特徴量算出手段と、複数の電子メールを受信した場合、電子メールアドレス毎に電子メールの特徴量の平均値を算出する平均値算出手段と、一の電子メールを受信し、前記特徴量算出手段が該電子メールの特徴量を算出した場合、該特徴量、及び前記平均値算出手段が算出した平均値を比較する比較手段と、該比較手段の比較結果に応じて、異なる発光色、発光点滅周期、又は明度で発光する発光手段とを備えることを特徴とする。
【００２５】
本発明に係る通信装置は、前記特徴量算出手段は、電子メールに含まれる記号若しくは画像の数、又は文字の数に基づいて、特徴量を算出する手段を備えることを特徴とする。
【００２６】
本発明に係る通信装置は、所定文字と、数値とを対応付けたテーブルを備え、前記特徴量算出手段は、電子メールに含まれる所定文字を抽出する手段と、抽出された所定文字及び前記テーブルに基づいて、特徴量を算出する手段とを備えることを特徴とする。
【００２７】
本発明に係る通信装置は、前記発光手段は、電子メールに含まれる件名の有無に応じて、異なる発光色、明度、又は発光点滅周期にて、発光するようにしてあることを特徴とする。
【００２８】
本発明に係る通信方法は、電子メールアドレス及び通信履歴情報を対応付けて記憶するステップと、電子メールを受信した場合、該電子メールの送信元を示す電子メールアドレスに対応付けられた通信履歴情報を特定するステップとを有する通信方法において、特定された通信履歴情報に基づいて、電子メールの表示内容を変更するステップを有することを特徴とする。
【００２９】
本発明に係るコンピュータプログラムは、電子メールを受信するコンピュータに、電子メールアドレス及び通信履歴情報を対応付けるステップと、電子メールを受信した場合、該電子メールの送信元を示す電子メールアドレスに対応付けられた通信履歴情報を特定するステップとを実行させるコンピュータプログラムにおいて、前記コンピュータに、特定された通信履歴情報に基づいて、電子メールの表示内容を変更するステップを実行させることを特徴とする。
【００３０】
本発明にあっては、記憶手段が、電子メールアドレスと、該電子メールアドレスを用いた通信の履歴を含む通信履歴情報とを対応付けて記憶している。通信履歴情報は、各通信相手との通信頻度を反映した情報である。
通信装置は、電子メールを受信した場合、該電子メールの送信元を示す電子メールアドレスから、該当する通信履歴情報を特定し、該通信履歴情報に基づいて、電子メールの表示画面、又は電子メールとして表示されるべき文字若しくは画像を変更する。前記変更としては、表示画面、文字又は画像の色濃度を変更する処理、文字又は画像の全部又は一部を非表示にする処理が含まれる。非表示にする方法としては、文字又は画像自体を削除する方法と、該文字又は画像の濃度を０にする方法とが含まれる。また、電子メールに絵文字、背景画像を挿入する処理、一部の文字を絵文字に置換する処理、画像を透明にする画像処理、モザイク画像に変更する画像処理等が含まれる。更に、テキスト形式の電子メールを、ＨＴＭＬ形式の電子メールに変更するような変更処理も含まれる。
従って、通信相手との通信頻度を視覚乃至感覚的に通知することが可能になり、効果的に通信相手との通信を促すことが可能になる。
【００３１】
本発明にあっては、電子メールの送信回数の多／少に応じて、電子メールの表示画面、電子メールとして表示されるべき文字若しくは画像の色濃度の濃／淡を決定する。つまり、電子メールの送信回数が多い程、電子メールの表示画面、電子メールとして表示されるべき文字若しくは画像の色濃度が濃く、電子メールの送信回数が少ない程、電子メールの表示画面、電子メールとして表示されるべき文字若しくは画像の色濃度が薄くなる。
また、本発明にあっては、電子メールの送信回数の多／少に応じて、電子メールとして表示されるべき文字又は画像を表示／非表示にする。つまり、電子メールの送信回数が少ない程、電子メールとして表示されるべき文字又は画像の非表示量が増加し、電子メールの送信回数が多い程、電子メールとして表示されるべき文字又は画像の非表示量は減少する。
従って、通信相手と疎遠になる程、特に送信回数が少なくなる程、通信相手から送信された電子メールが読みにくくなる。よって、使用者に対して、効果的に電子メールの送信を促すことが可能になる。
なお、色濃度の濃／淡は、色彩学における色濃度の濃／淡に限定されず、電子メールの表示画面、文字又は画像が見えやすい状態／見えにくい状態を意味する。また、必ずしも、全ての文字若しくは画像について一様に色濃度の濃／淡を決定する必要はなく、電子メールとして表示すべき文字又は画像の一部の色濃度を薄くする構成でも良い。
【００３２】
本発明にあっては、電子メールの受信回数の多／少に応じて、電子メールの表示画面、又は電子メールとして表示されるべき文字若しくは画像の色濃度の濃／淡を決定する。
また、本発明にあっては、電子メールの受信回数の多／少に応じて、電子メールとして表示されるべき文字又は画像を表示／非表示にする。
従って、通信相手と疎遠になる程、特に受信回数が少なくなる程、通信相手から送信された電子メールが読みにくくなる。電子メールを受信できるよう、使用者に対して、効果的に通信相手との通信を促すことが可能になる。
【００３３】
本発明にあっては、電子メールの送信回数の多／少に応じて、電子メールとして表示されるべき文字若しくは画像の色濃度の濃／淡を決定し、又は電子メールとして表示されるべき文字若しくは画像を表示／非表示にする。また、電子メールの受信回数の多／少に応じて、電子メールの表示画面の色濃度の濃／淡を決定する。
従って、送信回数又は受信回数のいずれか一方でも少なくなると、通信相手から送信された電子メールが読みにくくなる。よって、使用者に対して、効果的に電子メールの送信及び受信夫々を促すことが可能になる。
【００３４】
本発明にあっては、一の通信相手に係る送信回数と、複数の通信相手に係る送信回数の平均値とに基づいて、電子メールの表示画面、又は電子メールとして表示されるべき文字若しくは画像の色濃度の濃／淡を決定する。
また、本発明にあっては、一の通信相手に係る送信回数と、複数の通信相手に係る送信回数の平均値とに基づいて、電子メールとして表示されるべき文字若しくは画像を表示／非表示にする。
従って、電子メールの平均送信頻度を考慮して、文字若しくは画像の色濃度の変更、又は表示／非表示を決定することが可能になる。
【００３５】
本発明にあっては、一の通信相手に係る受信回数と、複数の通信相手に係る受信回数の平均値とに基づいて、電子メールの表示画面、電子メールとして表示されるべき文字若しくは画像の色濃度を低下させる。
また、本発明にあっては、一の通信相手に係る受信回数と、複数の通信相手に係る受信回数の平均値とに基づいて、電子メールとして表示されるべき文字若しくは画像を表示／非表示にする。
従って、電子メールの平均受信頻度を考慮して、文字若しくは画像の色濃度の変更、又は表示／非表示を決定することが可能になる。
【００３６】
本発明にあっては、ＨＴＭＬ形式の電子メールの数の多／少に応じて、電子メールの表示画面、電子メールとして表示されるべき文字若しくは画像の色濃度の濃／淡を決定する。
また、本発明にあっては、ＨＴＭＬ形式の電子メールの数の多／少に応じて、電子メールとして表示されるべき文字若しくは画像を表示／非表示にする。
【００３７】
本発明にあっては、通話回数の多／少に応じて、電子メールの表示画面、電子メールとして表示されるべき文字若しくは画像の色濃度の濃／淡を決定する。
また、本発明にあっては、通話回数の多／少に応じて、電子メールとして表示されるべき文字又は画像を表示／非表示にする。
【００３８】
本発明にあっては、一の電子メールを受信した場合、発光素子は、電子メールの特徴量の変化に応じて、異なる発光色、発光点滅周期、又は明度で発光する。特徴量は、通信相手との親密度を反映している。特徴量の変化は、過去に受信した電子メールの特徴量の平均値と、前記一の電子メールの特徴量を比較することによって得られるものであり、親密度の変化を反映している。
従って、電子メールの特徴量、即ち親密度の変化を視覚乃至感覚的に通知することが可能になる。
【００３９】
本発明にあっては、電子メールに含まれる記号、若しくは画像の数、又は文字の数に基づいて、特徴量を算出する。一般に、記号、画像が多く含まれている程、また、文字の数が多い程、通信相手との親密度が高いと推定される。
従って、記号、画像の数、文字の数に基づく親密度を反映した特徴量の変化を算出し、該特徴量の変化に応じた態様で発光素子を発光させることが可能になる。
【００４０】
本発明にあっては、電子メールに含まれる所定文字を抽出し、該所定文字に対応する数値に基づいて、特徴量を算出する。所定文字、例えば「〜です。」、「〜よね」は、通信相手との親密度を反映する。
従って、所定文字に基づく親密度を反映した特徴量の変化を算出し、該特徴量の変化に応じた態様で発光素子を発光させることが可能になる。
【００４１】
本発明にあっては、電子メールに含まれる件名の有無に応じて、発光素子が異なる発光色、明度、又は発光点滅周期にて、発光する。件名の有無は親密度を反映している。
従って、件名の有無に基づく親密度に応じた態様で発光素子を発光させることが可能になる。
【発明の効果】
【００４２】
本発明によれば、疎遠になっている通信相手との通信を効果的に促し、コミュニケーションの円滑化を図ることができる。
【００４３】
本発明によれば、電子メールの送信頻度を視覚乃至感覚的に通知することが可能になり、疎遠になっている通信相手との通信を効果的に促し、コミュニケーションの円滑化を図ることができる。
【００４４】
本発明によれば、電子メールの受信頻度を視覚乃至感覚的に通知することが可能になり、疎遠になっている通信相手との通信を効果的に促し、コミュニケーションの円滑化を図ることができる。
【００４５】
本発明によれば、送信頻度及び受信頻度を視覚乃至感覚的に通知することが可能になり、疎遠になっている通信相手との通信を効果的に促し、コミュニケーションの円滑化を図ることができる。
【００４６】
本発明によれば、使用者による電子メールの平均的な送信頻度を考慮して、電子メールの表示画面、又は電子メールとして表示されるべき文字若しくは画像を変更することができる。
【００４７】
本発明によれば、使用者による電子メールの平均的な受信頻度を考慮して、電子メールの表示画面、又は電子メールとして表示されるべき文字若しくは画像を変更することができる。
【００４８】
本発明によれば、電子メールの内容によって、通信相手との親密度を評価し、疎遠になっている通信相手との通信及び通話を効果的に促し、コミュニケーションの円滑化を図ることができる。
【００４９】
本発明によれば、通話回数によって、通信相手との親密度を評価し、疎遠になっている通信相手との通信及び通話を効果的に促し、コミュニケーションの円滑化を図ることができる。
【００５０】
本発明によれば、電子メールの特徴量に基づいて評価された親密度の変化を発光素子によって視覚乃至感覚的に通知し、コミュニケーションの円滑化を図ることができる。
【００５１】
本発明によれば、電子メールに含まれる記号、画像、文字数の変化に基づいて評価された親密度の変化を発光素子によって視覚乃至感覚的に通知し、コミュニケーションの円滑化を図ることができる。
【００５２】
本発明によれば、電子メールに含まれる文字列に基づいて評価された親密度の変化を発光素子によって視覚乃至感覚的に通知することができ、コミュニケーションの円滑化を図ることができる。
【００５３】
本発明によれば、件名の有無に基づいて評価された親密度の変化を発光素子によって視覚乃至感覚的に通知することができ、コミュニケーションの円滑化を図ることができる。
【発明を実施するための最良の形態】
【００５４】
以下、本発明をその実施の形態を示す図面に基づいて詳述する。
図１は、本発明の実施の形態に係る携帯電話機（通信装置）の構成を模式的に示すブロック図である。携帯電話機は、制御部１０を備えている。制御部１０には、バスを介して、ＲＯＭ１１、ＲＡＭ１２、撮像部１３、通信部１４、操作部１５、表示部１６、マイクロホン１７、スピーカ１８、及び記憶部１９が接続されている。
【００５５】
ＲＯＭ１１は、携帯電話機の動作に必要な制御プログラム、メーラ、ＨＴＭＬブラウザ、その他各種ソフトウェアを記憶した不揮発性メモリであり、ＲＡＭ１２は、制御部１０の演算処理を実行する際に生ずる各種データを一時記憶する揮発性メモリである。
撮像部１３は、レンズと、該レンズにて結像した像を電気信号に変換するＣＣＤ、ＣＭＯＳ等の撮像素子と、撮像素子にて変換された電気信号をデジタルの画像データにＡＤ変換し、ＡＤ変換された写真の画像データに各種画像処理を施す画像処理部とを備えている。
通信部１４は、高周波送受信部及びアンテナ等を備え、他の携帯電話機との間で電子メール、及び通話に係る情報を無線で送受信する。
操作部１５は、通話及び電子メール通信を操作するための通話ボタン、電子メールの送信ボタン、数字キー、決定ボタン等を備える。
表示部１６は例えば液晶ディスプレイ等であり、電子メールに含まれる文字、画像等を表示する。電子メールに含まれる文字としては、平仮名、片仮名、英数字、「！」、「？」等の記号、絵文字等が挙げられる。画像は、例えばＪＰＥＧフォーマットの静止画、又は所定フォーマットの動画である。また、表示部１６は、ＨＴＭＬ形式の電子メールに含まれるＨＴＭＬ画像を表示することもできる。
スピーカ１８は、他の携帯電話機から送信された通話に係る情報、特に音声信号を増幅して出力する。マイクロホン１７は、外部から入力された音声を音声信号に変換し、変換した電気信号を通話に係る情報として通信部１４に与え、外部の携帯電話機へ送信する。
記憶部１９は、外部の携帯電話機との間で行われた通信の履歴を示す通信履歴ＤＢ１９ａを記憶する不揮発性のメモリである。また、記憶部１９は、本発明に係るコンピュータプログラム３を記憶しており、制御部１０は、記憶部１９からコンピュータプログラム３をＲＡＭ１２に読み出して実行することにより、本発明に係る後述の通信方法を実施する。なお、制御部１０は、コンピュータプログラム３をコンピュータ読み取り可能に記録した記録媒体２、又は通信網を介して取得し、記憶部１９に記憶させる。もちろん、予め記憶部１９又はＲＯＭ１１に書き込んでおいても良い。
【００５６】
図２は、通信履歴ＤＢ１９ａの一例を概念的に示す説明図である。通信履歴ＤＢ１９ａの表（ファイル）は、複数の列（フィールド）、例えば「通信者ＩＤ」、「名前」、「電話番号」「電子メールアドレス」、「通話回数」、「装飾メール回数」、「通常メール回数」、「属性」から構成されており、各行（レコード）は、各列に格納された情報を有する。
【００５７】
「名前」列は、通信相手の氏名、愛称等の名前を格納しており、「通信者ＩＤ」列は、通信相手に固有の識別情報、例えば数値又は文字を名前に対応付けて格納している。
また、「電話番号」列は通信相手の携帯電話機の電話番号、「電子メールアドレス」列は通信相手の電子メールアドレスを、通信者ＩＤに対応付けて格納している。
更に、通信履歴の情報として「通話回数」列は、携帯電話機側から発呼して通話を行った回数を格納しており、「装飾メール回数」は、各種装飾が施された装飾メール、いわゆるデコレーションメールを送信した回数、「通常メール回数」列は、装飾メールを除くテキスト形式の電子メールを送信した回数を夫々格納している。本実施の形態においては、ＨＴＭＬ形式の電子メールを装飾メールとする。なお、言うまでもなく、ｃＨＴＭＬ形式の電子メールも含む。
【００５８】
図３は、電子メールの送信に係る制御部１０の処理手順を示すフローチャートである。電子メールの作成指示を操作部１５にて受け付けた場合、制御部１０は、メール編集を受け付ける（ステップＳ１１）。そして、制御部１０は、送信ボタンが操作されたか否かを判定する（ステップＳ１２）。送信ボタンが操作されていないと判定した場合（ステップＳ１２：ＮＯ）、制御部１０は、処理をステップＳ１１へ戻す。送信ボタンが操作されたと判定した場合（ステップＳ１２：ＹＥＳ）、制御部１０は、ステップＳ１１で編集された電子メールを通信部１４にて送信する（ステップＳ１３）。
【００５９】
次いで、制御部１０は、ステップＳ１３で送信した電子メールが装飾メールであるか否かを判定する（ステップＳ１４）。装飾メールであると判定した場合（ステップＳ１４：ＹＥＳ）、制御部１０は、送信先の電子メールアドレスに対応付けられている装飾メール回数に１を加算し（ステップＳ１５）、処理を終える。装飾メールで無いと判定した場合（ステップＳ１４：ＮＯ）、制御部１０は、送信先の電子メールアドレスに対応付けられている通常メール回数に１を加算し（ステップＳ１６）、処理を終える。
【００６０】
また、同様にして、制御部１０は、携帯電話端末から発呼し、通話を行った場合、通信相手の電話番号に対応付けられている通話回数に１を加算する処理を実行する。
【００６１】
図４及び図５は、電子メールの受信に係る制御部１０の処理手順を示すフローチャートである。制御部１０は、電子メールを受信し（ステップＳ３１）、受信した電子メールから送信元の電子メールアドレスを抽出する（ステップＳ３２）。そして、制御部１０は、抽出した電子メールアドレスに対応付けられている通話回数、装飾メール回数、通常メール回数を通信履歴ＤＢ１９ａから読み出す（ステップＳ３３）。
【００６２】
次いで、制御部１０は、記憶部１９が記憶している通信履歴ＤＢ１９ａの情報に基づいて、通信回数、装飾メール回数、通常メール回数夫々の平均回数を算出する（ステップＳ３４）。
【００６３】
次いで、制御部１０は、通信相手との親密度の初期値として、例えば０を設定する（ステップＳ３５）。そして、制御部１０は、ステップＳ３３で読み出した通話回数がステップＳ３４で算出した平均通話回数未満であるか否かを判定する（ステップＳ３６）。通話回数が平均通話回数未満であると判定した場合（ステップＳ３６：ＹＥＳ）、親密度を低下させる（ステップＳ３７）。通話回数が平均通話回数以上であると判定した場合（ステップＳ３６：ＮＯ）、親密度を上昇させる（ステップＳ３８）。なお、通話回数と平均通話回数とが同値である場合、親密度を変化させないように構成しても良い。
【００６４】
ステップＳ３７又はステップＳ３８の処理を終えた場合、制御部１０は、ステップＳ３３で読み出した装飾メール回数がステップＳ３４で算出した平均装飾メール回数未満であるか否かを判定する（ステップＳ３９）。装飾メール回数が平均装飾メール回数未満であると判定した場合（ステップＳ３９：ＹＥＳ）、制御部１０は親密度を低下させる（ステップＳ４０）。装飾メール回数が平均装飾メール回数以上であると判定した場合（ステップＳ３９：ＮＯ）、制御部１０は親密度を上昇させる（ステップＳ４１）。
【００６５】
ステップＳ４０又はステップＳ４１の処理を終えた場合、ステップＳ３３で読み出した通常メール回数がステップＳ３４で算出した平均通常メール回数未満であるか否かを判定する（ステップＳ４２）。通常メール回数が平均通常メール回数未満であると判定した場合（ステップＳ４２：ＹＥＳ）、制御部１０は親密度を低下させる（ステップＳ４３）。通常メール回数が平均通常メール回数以上であると判定した場合（ステップＳ４２：ＮＯ）、制御部１０は親密度を上昇させる（ステップＳ４４）。
【００６６】
ステップＳ４３又はステップＳ４４の処理を終えた場合、制御部１０は、親密度が０未満であるか否かを判定する（ステップＳ４５）。親密度が０未満であると判定した場合（ステップＳ４５：ＹＥＳ）、親密度が低ければ低い程、電子メールの表示画面、表示部１６に電子メールとして表示されるべき文字若しくは画像の一部又は全部の色濃度を低下させ、或いは電子メールとして表示すべき文字若しくは画像を削除し（ステップＳ４６）、電子メールを表示部１６に表示させ（ステップＳ４８）、処理を終える。なお、文字若しくは画像を削除する処理は、該文字若しくは画像を非表示にする処理の一例であり、文字若しくは画像の濃度を０にしても良い。また、文字若しくは画像を帯画像で塗りつぶすようにして非表示にしても良い。
【００６７】
つまり、親密度が０より小さい程、電子メールの表示画面、電子メールとして表示されるべき文字又は画像が薄くなり、電子メールが読みにくくなる。また、親密度が０より小さい程、文字又は画像の削除量が多くなり電子メールが読みにくくなる。削除する文字は、ランダムに選択すれば良いが、特定の文字を優先的に削除するように構成しても良い。例えば、通信を効果的に促すべく、電子メールの情報として重要な数字を優先的に削除し、次いで平仮名、片仮名を削除し、最後に句読点等の記号を削除するように構成する。この場合、極めて効果的に通信を促すことが可能になる。
もちろん、電子メールの情報として重要度が低い文字から順に削除するように構成しても良い。この場合、通信機能を確保しながら通信を促すことが可能になる。更に、文字又は画像を削除する上記優先順位を適宜選択できるように構成しても良い。更にまた、上述の優先順位の考え方は、文字又は画像の色濃度を選択的に低下させる場合にも適用できる。
【００６８】
親密度が０以上であると判定した場合（ステップＳ４５：ＮＯ）、制御部１０は、親密度が高い程、各種装飾を多数付加し（ステップＳ４７）、電子メールを表示部１６に表示させ（ステップＳ４８）、処理を終える。つまり、親密度が高くなるほど、電子メールの雰囲気が明るくなる。具体的には、電子メールに装飾画像、背景画像等を適宜挿入し、一部の文字を絵文字に置換するような処理を実行する。
【００６９】
図６は、親密度と、表示部１６に表示される電子メールとの関係を示す模式図である。図６（ａ）は、通信頻度が高い通信相手から送信された電子メールを受信した場合に表示される電子メールの表示例である。電子メールとして表示される文字は色濃度が高く鮮明である。また、電子メールの表示画面に付した幅広のハッチングは、背景の色濃度が高く、或いは各種装飾が施された状態を示している。このように、通信頻度が高い通信相手から送信された電子メールを開封すると、明るく装飾された電子メールが表示される。通信を行う程、電子メールの雰囲気が明るくなるため、効果的に通信を促すことが可能になる。
【００７０】
図６（ｂ）は、通信頻度がやや少ない通信相手から送信された電子メールを受信した場合に表示される電子メールの表示例である。通信頻度が低くなると、一部の文字が薄く表示され始める。細字で描かれた「お疲れ様です。」、「５分ほど」は、薄く表示されていることを示している。このように、通信頻度が低くなっていることを視覚乃至感覚的に訴えることができ、通信を効果的に促すことが可能になる。
【００７１】
図６（ｃ）は、通信頻度が低い通信相手から送信された電子メールを受信した場合に表示される電子メールの表示例である。破線で示した四角部分には、本来画像が表示されるべきであるが、送信頻度が高い場合、削除される。また、電子メールとして表示されるべき文字の一部が削除されている。電子メールの表示画面に付した幅狭のハッチングは、背景の色濃度が薄く、暗くなっていることを示している。このように通信頻度が低くなると、文字、画像が削除され、背景が暗くなるため、極めて効果的に通信を促すことが可能になる。
【００７２】
このように構成された携帯電話機、通信方法、コンピュータプログラム３にあっては、疎遠になっている通信相手との通信を効果的に促し、コミュニケーションの円滑化を図ることができる。特に、電子メールの送信頻度、通話回数を視覚乃至感覚的に通知することが可能になり、疎遠になっている通信相手との通信を効果的に促し、コミュニケーションの円滑化を図ることができる。
また、送信した電子メールの内容、つまり装飾メールの回数、通常メールの回数によって、通信相手との親密度を評価し、疎遠になっている通信相手との通信及び通話を効果的に促し、コミュニケーションの円滑化を図ることができる。
【００７３】
更に、使用者による電子メールの平均的な送信頻度、通話回数を考慮して、電子メールの表示画面、又は電子メールとして表示されるべき文字若しくは画像を変更することができる。
【００７４】
（変形例１）
変形例１に係る携帯電話機は、受信に係る通信履歴を通信ＤＢに記録し、受信に係る通信履歴に基づいて、電子メールの表示内容を変更するように構成されている。つまり、上述の実施の形態では、送信頻度によって、電子メールの表示内容を変更する場合を説明したが、変形例１に係る携帯電話端末は、受信頻度によって、電子メールの表示内容を変更する。具体的には、上述の実施の形態におけるステップＳ１４〜１６と同様の処理を、メール受信時に行うように構成する。例えば、図４に示すステップＳ３２の処理終えた際、制御部１０は、受信した電子メールが装飾メールであるか否かを判定する。そして、装飾メールであると判定した場合、制御部１０は、受信した電子メールの送信元の電子メールアドレスに対応付けられている装飾メール回数に１を加算し、ステップＳ３３の処理に移る。装飾メールで無いと判定した場合、制御部１０は、送信元の電子メールアドレスに対応付けられている通常メール回数に１を加算し、ステップＳ３３の処理に移る。同様に、他の携帯電話機からかかってきた電話に出た場合、発信元の電話番号に対応付けられている通話回数に１を加算する。
【００７５】
このように構成された変形例１に係る携帯電話端末、通信方法、及びコンピュータプログラム３にあっては、特に電子メールの受信頻度、通話回数を視覚乃至感覚的に通知することが可能になり、疎遠になっている通信相手との通信を効果的に促し、コミュニケーションの円滑化を図ることができる。
また、受信した電子メールの内容、つまり装飾メールの回数、通常メールの回数によって、通信相手との親密度を評価し、疎遠になっている通信相手との通信及び通話を効果的に促し、コミュニケーションの円滑化を図ることができる。
【００７６】
更に、使用者による電子メールの平均的な受信頻度、通話回数を考慮して、電子メールの表示画面、又は電子メールとして表示されるべき文字若しくは画像を変更することができる。
【００７７】
（変形例２）
図７は、変形例２に係る通信履歴ＤＢ２１９ａの一例を概念的に示す説明図である。変形例２に係る通信履歴ＤＢ２１９ａは、送信に係る通信履歴、つまり携帯電話機の使用者側から行動を起こして行った通信の履歴を示す情報として、「電話回数」列、「装飾メール回数」列、及び「通常メール回数」列を有している。また、通信履歴ＤＢ２１９ａは、受信に係る通信履歴、つまり外部の携帯電話機の使用者側から行動を起こして行った通信の履歴を示す情報として、「電話回数」列、「装飾メール回数」列、及び「通常メール回数」列を有している。
【００７８】
図８及び図９は、変形例２における電子メールの受信に係る制御部１０の処理手順を示すフローチャートである。制御部１０は、電子メールを受信し（ステップＳ５１）、受信した電子メールから送信元の電子メールアドレスを抽出する（ステップＳ５２）。そして、制御部１０は、受信した電子メールが装飾メールであるか否かを判定する（ステップＳ５３）。装飾メールであると判定した場合（ステップＳ５３：ＹＥＳ）、制御部１０は、送信元の電子メールアドレスに対応付けられている装飾メール回数に１を加算する（ステップＳ５４）。装飾メールで無いと判定した場合（ステップＳ５３：ＮＯ）、制御部１０は、送信元の電子メールアドレスに対応付けられている通常メール回数に１を加算する（ステップＳ５５）。
【００７９】
ステップＳ５４又はステップＳ５５の処理を終えた場合、制御部１０は、抽出した電子メールアドレスに対応付けられている通話回数、装飾メール回数、通常メール回数等の送信に係る通信履歴を通信履歴ＤＢ２１９ａから読み出す（ステップＳ５６）。そして、制御部１０は、送信に係る親密度を評価する（ステップＳ５７）。ステップＳ５７の処理は、図４及び図５に示すステップＳ３５〜４４と同様の処理である。
【００８０】
ステップＳ５７の処理を終えた場合、送信に係る親密度が０未満であるか否かを判定する（ステップＳ５８）。送信に係る親密度が０未満であると判定した場合（ステップＳ５８：ＹＥＳ）、制御部１０は、親密度が低い程、表示部１６に表示されるべき文字若しくは画像の色濃度を低下させ、又は文字又は画像を削除する（ステップＳ５９）。送信に係る親密度が０以上であると判定した場合（ステップＳ５８：ＮＯ）、制御部１０は、親密度が高い程、電子メールとして表示すべき文字に装飾を多数付加する（ステップＳ６０）。
【００８１】
ステップＳ５９又はステップＳ６０の処理を終えた場合、制御部１０は、抽出した電子メールアドレスに対応付けられている通話回数、装飾メール回数、通常メール回数等の受信に係る通信履歴を通信履歴ＤＢ２１９ａから読み出し（ステップＳ６１）、受信に係る親密度を評価する（ステップＳ６２）。ステップＳ６２の処理は、受信に係る通信履歴を利用する点が異なるものの、図４及び図５に示すステップＳ３５〜４４と同様であるため、詳細な説明は省略する。
【００８２】
ステップＳ６２の処理を終えた場合、制御部１０は、受信に係る親密度が０未満であるか否かを判定する（ステップＳ６３）。受信に係る親密度が０未満であると判定した場合（ステップＳ６３：ＹＥＳ）、制御部１０は、親密度が低い程、電子メールの表示画面の色濃度を低下させ（ステップＳ６４）、処理を終える。受信に係る親密度が０以上であると判定した場合（ステップＳ６３：ＮＯ）、制御部１０は、親密度が高い程、電子メールの表示画面に装飾を多数付加し（ステップＳ６５）、処理を終える。
【００８３】
図１０は、変形例２における親密度と、表示部１６に表示される電子メールとの関係を示す模式図である。図１０（ａ）は、図６（ａ）と同様、送信頻度及び受信頻度が共に高い通信相手から送信された電子メールを受信した場合に表示される電子メールの表示例である。該電子メールは、明るく装飾されている。
【００８４】
図１０（ｂ）は、送信頻度は低いが、受信頻度は平均的な通信相手から送信された電子メールを受信した場合に表示される電子メールの表示例である。受信頻度は平均的であるため、電子メールの表示画面は通常通り表示されている。しかし、送信頻度が低いため、一部の文字が薄く表示されている。
図１０（ｃ）は、送信頻度は平均的であるが、受信頻度が低い通信相手から送信された電子メールを受信した場合に表示される電子メールの表示例である。送信頻度は平均的であるため、電子メールの文字は通常通り表示されている。しかし、受信頻度が低いため、背景の色濃度が薄く、暗くなっている。上述のように電子メールの表示画面に付した幅狭のハッチングは、背景の色濃度が薄く、暗くなっていることを示している。
このように、送信頻度、受信頻度のいずれかが低いことを視覚乃至感覚的に訴えることができ、送信及び受信双方を効果的に促すことが可能になる。
【００８５】
図１０（ｄ）は、送信頻度及び受信頻度が共に低い通信相手から送信された電子メールを受信した場合に表示される電子メールの表示例である。送信頻度が低いため、電子メールとして表示されるべき文字及び画像が削除されている。また、受信頻度も低いため、電子メールの表示画面の色濃度が薄く、暗くなっている。
このように送信頻度及び受信頻度のいずれもが低くなると、文字、画像が削除され、背景が暗くなるため、極めて効果的に通信を促すことが可能になる。
【００８６】
変形例２に係る携帯電話機、通信方法、コンピュータプログラム３にあっては、疎遠になっている通信相手との双方向の通信を効果的に促し、コミュニケーションの円滑化を図ることができる。
【００８７】
（変形例３）
図１１は、変形例３における携帯電話機の構成を模式的に示すブロック図である。変形例３に係る携帯電話機は、上述の構成に加えて、通信相手との親密度を通知するための発光素子２０を備える。また、記憶部１９は、電子メールの文面から親密度を測るための親密度反映文字テーブル１９ｂと、各通信相手との普段の親密度を記憶した親密度ＤＢ１９ｃとを更に記憶する。なお、作図の便宜上、コンピュータプログラム３及び記録媒体２は省略してある。
【００８８】
図１２は、変形例３に係る携帯電話機における発光素子２０の点灯方法を概念的に示す説明図である。変形例３に係る携帯電話機は、電子メールの着信時又は開封時に、電子メールの内容に基づいて親密度を評価し、親密度が低下した場合、寒色系の色で発光素子２０を発光させ、親密度が上昇した場合、暖色系の色で発光素子２０を点滅発光させるように構成されている。親密度は、例えば、電子メール全体の印象、親密度反映文字の数、文字数、件名の有無で評価される。電子メール全体の印象は、具体的には、電子メールに含まれる記号、装飾画像の数に基づいて数値化される。また、親密度反映文字は、例えば、親密度を反映していると予想される「〜です。」、「〜ので」、「〜よね。」、絵文字等の所定の文字列に基づいて数値化される。親密度に対する影響は、電子メール全体の印象が最も大きく、親密度反映文字、文字数、件名の有無の順で小さくなる。
【００８９】
以下、親密度反映文字テーブル１９ｂ、親密度ＤＢ１９ｃの内容と、具体的な処理手順を説明する。
図１３は、親密度反映文字テーブル１９ｂを概念的に示す説明図である。親密度反映文字テーブル１９ｂは、「親密度反映文字ＩＤ」列、「親密度反映文字」列、及び「親密度評価値」列から構成されている。「親密度反映文字」列は、通信相手との親密度を反映する文字列、具体的には「です。」、「ました。」等を格納し、「親密度評価値」列は、各文字列に対応する親密度の高低を示した数値を格納している。親密度評価値の数値は、親密度が高くなる程、大きな値になるように設定されている。
【００９０】
図１４は、親密度ＤＢ１９ｃの一例を概念的に示す説明図である。親密度ＤＢ１９ｃの表は、複数の列、例えば「通信者ＩＤ」列、「記号・装飾画像数平均値」列、「親密度反映文字の親密度評価平均値」列、「文字数平均値」列から構成されている。「記号・装飾画像数平均値」列は、各通信者から送信された電子メールに含まれている記号、装飾画像数の平均値が格納されている。また、「親密度反映文字の親密度評価平均値」列には、各通信者から送信された電子メールの親密度評価値の平均値が格納され、「文字数平均値」列は、電子メールに含まれる文字数の平均値が格納されている。
【００９１】
図１５及び図１６は、変形例３における電子メールの受信に係る制御部１０の処理手順を示すフローチャートである。制御部１０は、電子メールを受信し（ステップＳ７１）、受信した電子メールに含まれる文字列を抽出し、記号・装飾画像数を算出する（ステップＳ７２）。
【００９２】
次いで、制御部１０は、親密度ＤＢ１９ｃから、受信した電子メールの送信元の電子メールアドレスに対応付けられた記号・装飾画像数平均値を読み出す（ステップＳ７３）。
【００９３】
そして、制御部１０は、ステップＳ７２で算出した記号・装飾画像数と、ステップＳ７３で読み出した記号・装飾画像数平均値とを比較することで親密度を評価する（ステップＳ７４）。つまり、受信した電子メールの記号・装飾画像数が、記号・装飾画像数平均値よりも小さくなった場合、親密度が低下したと評価し、記号・装飾画像数平均値よりも大きくなった場合、親密度が上昇したと評価する。
【００９４】
次いで、制御部１０は、電子メールから親密度反映文字を抽出し、抽出した親密度反映文字を、親密度反映文字テーブル１９ｂに基づいて数値化する（ステップＳ７５）。そして、制御部１０は、親密度評価平均値を親密度ＤＢ１９ｃから読み出す（ステップＳ７６）。次いで、制御部１０は、ステップＳ７５で数値化した親密度反映文字の数値と、ステップＳ７６で読み出した親密度評価平均値とを比較することで親密度を評価する（ステップＳ７７）。
【００９５】
そして、制御部１０は、電子メールに含まれる文字数を算出し（ステップＳ７８）、親密度ＤＢ１９ｃから文字数平均値を読み出す（ステップＳ７９）。次いで、制御部１０は、ステップＳ７８で算出した文字数と、ステップＳ７９で読み出した文字数平均値とを比較することで親密度を評価する（ステップＳ８０）。
【００９６】
そして、制御部１０は、電子メールに含まれる件名の有無に基づいて、親密度を評価する（ステップＳ８１）。次いで、制御部１０は、ステップＳ７２〜８１で総合的に評価された親密度に応じて、異なる発光色、発光点滅周期、又は明度で発光素子２０を発光させる。例えば、親密度が低下したと評価した場合、発光素子２０を寒色系の青色で暗く発光させ、親密度が上昇したと評価した場合、発光素子２０を暖色系のオレンジ色で明るく点滅発光させる（ステップＳ８２）。また、親密度が上昇する程、明るく、また発光点滅周期が高くなるように構成しても良い。
【００９７】
ステップＳ８２の処理を終えた場合、制御部１０は、各種平均値、つまり記号・装飾画像数平均値、親密度評価平均値、文字数平均値を再計算し、再計算した平均値を親密度ＤＢ１９ｃに登録し（ステップＳ８３）、処理を終える。
【００９８】
変形例３に係る携帯電話機にあっては、電子メールの特徴量、例えば電子メールに含まれる記号、画像、親密度反映文字、文字数、件名の有無に基づいて評価された親密度の変化を発光素子２０によって視覚乃至感覚的に通知し、コミュニケーションの円滑化を図ることができる。
【００９９】
なお、上述の実施の形態及び変形例においては、電子メールの表示画面、文字の色濃度を変更する処理、文字又は画像を削除する例を主に説明したが、電子メールの変更方法はこれに限定されない。
例えば、電子メールに絵文字、背景画像を挿入するように構成しても良い。また、一部の文字を絵文字に置換するように構成しても良い。また、画像を透明化、モザイク化するように構成しても良い。更に、テキスト形式の電子メールを、ＨＴＭＬ形式の電子メールに変更して各種装飾を施すように構成しても良い。
【０１００】
また、今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【図面の簡単な説明】
【０１０１】
【図１】本発明の実施の形態に係る携帯電話機の構成を模式的に示すブロック図である。
【図２】通信履歴ＤＢの一例を概念的に示す説明図である。
【図３】電子メールの送信に係る制御部の処理手順を示すフローチャートである。
【図４】電子メールの受信に係る制御部の処理手順を示すフローチャートである。
【図５】電子メールの受信に係る制御部の処理手順を示すフローチャートである。
【図６】親密度と、表示部に表示される電子メールとの関係を示す模式図である。
【図７】変形例２に係る通信履歴ＤＢの一例を概念的に示す説明図である。
【図８】変形例２における電子メールの受信に係る制御部の処理手順を示すフローチャートである。
【図９】変形例２における電子メールの受信に係る制御部の処理手順を示すフローチャートである。
【図１０】変形例２における親密度と、表示部に表示される電子メールとの関係を示す模式図である。
【図１１】変形例３における携帯電話機の構成を模式的に示すブロック図である。
【図１２】変形例３に係る携帯電話機における発光素子の点灯方法を概念的に示す説明図である。
【図１３】親密度反映文字テーブルを概念的に示す説明図である。
【図１４】親密度ＤＢの一例を概念的に示す説明図である。
【図１５】変形例３における電子メールの受信に係る制御部の処理手順を示すフローチャートである。
【図１６】変形例３における電子メールの受信に係る制御部の処理手順を示すフローチャートである。
【符号の説明】
【０１０２】
３  コンピュータプログラム
１０  制御部
１１  ＲＯＭ
１２  ＲＡＭ
１３  撮像部
１４  通信部
１５  操作部
１６  表示部
１７  マイクロホン
１８  スピーカ
１９  記憶部
１９ａ  通信履歴ＤＢ
１９ｂ  親密度反映文字テーブル
１９ｃ  親密度ＤＢ
２０  発光素子
【図１】
2010039855.tif 000003
【図２】
2010039855.tif 000004
【図３】
2010039855.tif 000005
【図４】
2010039855.tif 000006
【図５】
2010039855.tif 000007
【図６】
2010039855.tif 000008
【図７】
2010039855.tif 000009
【図８】
2010039855.tif 000010
【図９】
2010039855.tif 000011
【図１０】
2010039855.tif 000012
【図１１】
2010039855.tif 000013
【図１２】
2010039855.tif 000014
【図１３】
2010039855.tif 000015
【図１４】
2010039855.tif 000016
【図１５】
2010039855.tif 000017
【図１６】
2010039855.tif 000018